(57)【特許請求の範囲】
【請求項１】
衣服における上着の袖外側縫い代に、袖を形成する第１の布地と第２の布地との間にトンネル布地を縫着して形成したトンネル部と、肩口に留め布を介して基部が逢着され、該基部に円筒部を一体的に形成すると共に前記円筒部と前記基部との間に切り欠け部が形成された留め具と、中間部を前記トンネル部に挿通すると共に一端を袖口に固定し、他端を肩口から導出部を導出すると共に前記留め具の切り欠けから前記円筒部に挿通したゴム紐とから構成し、
前記留め具の円筒部は前記ゴム紐が引っ張られていない状態時には滑りが発生せず、ゴム紐が引っ張られると滑りが生じる内径に形成されていることから、前記袖口を持って前記ゴム紐の導出部を引っ張った後にゴム紐の引っ張り力を解除することでゴム紐の先端側が前記留め具により固定されるので、袖口を離すことで袖全体が均一に縮み、また、前記縮みを戻すにはゴム紐を前記切り欠けを介して円筒部より取り外すことでゴム紐はフリーな状態となって、袖側を引っ張ることで袖が縮む前の状態に戻ることを特徴とする衣服。
【請求項２】
前記衣服には襟部と、該襟部に取付けられるフードとを有し、かつ、フードを使用しない時にはフードを丸めて襟の後ろ側に固定可能に形成されており、前記ゴム紐はフードを使用しない時にはフード内に収容し、フードを使用する時にはフードと襟との間に収容するようにしたことを特徴とする請求項１記載の衣服。
【請求項３】
衣服におけるズボンの外側縫い代に、ズボンを形成する第１の布地と第２の布地との間にトンネル布地を縫着して形成したトンネル部と、ウエスト部に留め布を介して基部が逢着され、該基部に円筒部を一体的に形成すると共に前記円筒部と前記基部との間に切り欠け部が形成された留め具と、中間部を前記トンネル部に挿通すると共に一端を裾口に固定し、他端をウエスト部から導出部を導出すると共に前記留め具の切り欠けから前記円筒部に挿通したゴム紐とから構成し、
前記留め具の円筒部は前記ゴム紐が引っ張られていない状態時には滑りが発生せず、ゴム紐が引っ張られると滑りが生じる内径に形成されていることから、前記裾口を持って前記ゴム紐の導出部を引っ張った後にゴム紐の引っ張り力を解除することでゴム紐の先端側が前記留め具により固定されるので、裾口を離すことでズボン全体が均一に縮み、また、前記縮みを戻すにはゴム紐を前記切り欠けを介して円筒部より取り外すことでゴム紐はフリーな状態となって、裾口を引っ張ることでズボンが縮む前の状態に戻ることを特徴とする衣服。
【請求項４】
前記トンネルを形成する縫い代は、袖またはズボンを形成する第１の布地とトンネルを形成するトンネル布地の折り返した部分を縫着し、次いで、袖またはズボンを形成する第２の布地を折り返した部分と前記縫着した部分とを縫着し、さらに、前記縫着部分の裏面側に熱圧着により目止めテープを接着したことを特徴とする請求項１または請求項３記載の衣服。
【請求項５】
前記留め具は、一端が肩口あるいはウエスト部で縫着される基部と、該基部から延長されると共に前記ゴム紐の引っ張られていない状態時の滑りが発生しない内径に形成された円形状部とからなり、該円形状部には２つの円筒部に分離するための分離溝が形成され、かつ、分離された円筒部には異なる方向にゴム紐を該円筒部に挿通するための切り欠け部が形成されていることを特徴とする請求項１または請求項３記載の衣服。
【発明の詳細な説明】
【技術分野】
【０００１】
本発明は、子供用の衣服、特に、雪や雨が降っている時に着用するのに適した衣服であって、着用した者（子供のように成長の度合いが早い者）の体格に合わせて、上着の袖丈やズボンの丈を変えることができるようにした衣服に関する。
【背景技術】
【０００２】
成長の度合いが早い子供の衣服は、一度購入しても翌年には寸法が短くなって着用できなくなり、そのために、数年間着用することができるように大きめのサイズを購入することになるが、大きめのサイズであるために着用時に袖丈やズボン丈が余ってしまい体裁が悪く、また、余った部分が垂れ下がって運動盛りの子供が走った時に躓いて怪我をしたりするという問題があった。
【０００３】
そこで、このようなことがないように、袖丈の長さを調整したりズボンの丈を調整できるようにしたものが、例えば、実開平５−２２５１３号公報に開示されている。この公報の技術は、紐の一端を袖の先端に固定し、他端を胴部から導出し中間部を袖部と胴部の中綿と表地との間に介在したものであり、前記紐の胴部から導出された部分を引っ張ることで袖を縮めて、袖の長さを短くするものである。
【０００４】
この従来例にあっては、胴部の下端から紐を引っ張ることから、紐を引っ張りすぎる胴部の丈も短くなる可能性があり、雪や雨の時に胴部から雪や雨が入り込むことがあり、また、寒い時には着用者の胴部から風が入り込むこともあるという問題があった。
【０００５】
このような問題を解決するものとして、実用新案登録第３０５６９５７号公報に開示された技術がある。この公報の技術は、紐の袖から肩の外面側にわたって形成したトンネル部に挿通し、該挿通した紐の一端を袖の先端に固定し、他端を肩部を介して襟ぐりまで挿通し、該襟ぐり部に形成した開口から内部に引き出したものである。
【特許文献１】実開平５−２２５１３号公報
【特許文献２】実用新案登録第３０５６９５７号公報
【発明の開示】
【発明が解決しようとする課題】
【０００６】
この従来例にあっては、前記した胴部が紐を引っ張ることによって縮むことがないが、前記した実開平５−２２５１３号公報および実用新案登録第３０５６９５７号公報の何れのものにあっても、紐を引っ張った時に、紐が固定されている袖の先端側が先ず縮み、次いで、徐々に肩側に向かって縮むこととなる。そのために、袖の縮み方が偏って不均一となり体裁が悪く、かつ、着心地が悪いといった問題があった。
【０００７】
本発明は前記した問題点を解決せんとするもので、その目的とするところは、紐をゴム紐となし、かつ、該ゴム紐の引き出しを肩部から行うことにより、ゴム紐の引き出し端と袖の先端を手で持って引っ張り、かつ、引っ張った状態でゴム紐の引き出し部を肩部で留め具によって固定することで、袖の全長にわたって平均に縮むので、体裁が良く、また、着心地もよくなり、また、ゴム紐を引っ張った状態で手を離すと、肩部でゴム紐が固定される固定部材を取付けることで、縮ませる作業が簡単に行える衣服を提供せんとするにある。
【課題を解決するための手段】
【０００８】
本発明の衣服は前記した目的を達成せんとするもので、請求項１の手段は、衣服における上着の袖外側縫い代に、袖を形成する第１の布地と第２の布地との間にトンネル布地を縫着して形成したトンネル部と、肩口に留め布を介して基部が逢着され、該基部に円筒部を一体的に形成すると共に前記円筒部と前記基部との間に切り欠け部が形成された留め具と、中間部を前記トンネル部に挿通すると共に一端を袖口に固定し、他端を肩口から導出部を導出すると共に前記留め具の切り欠けから前記円筒部に挿通したゴム紐とから構成し、前記留め具の円筒部は前記ゴム紐が引っ張られていない状態時には滑りが発生せず、ゴム紐が引っ張られると滑りが生じる内径に形成されていることから、前記袖口を持って前記ゴム紐の導出部を引っ張った後にゴム紐の引っ張り力を解除することでゴム紐の先端側が前記留め具により固定されるので、袖口を離すことで袖全体が均一に縮み、また、前記縮みを戻すにはゴム紐を前記切り欠けを介して円筒部より取り外すことでゴム紐はフリーな状態となって、袖側を引っ張ることで袖が縮む前の状態に戻ることを特徴とする。
【０００９】
請求項２の手段は、前記した請求項１において、前記衣服には襟部と、該襟部に取付けられるフードとを有し、かつ、フードを使用しない時にはフードを丸めて襟の後ろ側に固定可能に形成されており、前記ゴム紐はフードを使用しない時にはフード内に収容し、フードを使用する時にはフードと襟との間に収容するようにしたものである。
【００１０】
請求項３の手段は、衣服におけるズボンの外側縫い代に、ズボンを形成する第１の布地と第２の布地との間にトンネル布地を縫着して形成したトンネル部と、ウエスト部に留め布を介して基部が逢着され、該基部に円筒部を一体的に形成すると共に前記円筒部と前記基部との間に切り欠け部が形成された留め具と、中間部を前記トンネル部に挿通すると共に一端を裾口に固定し、他端をウエスト部から導出部を導出すると共に前記留め具の切り欠けから前記円筒部に挿通したゴム紐とから構成し、前記留め具の円筒部は前記ゴム紐が引っ張られていない状態時には滑りが発生せず、ゴム紐が引っ張られると滑りが生じる内径に形成されていることから、前記裾口を持って前記ゴム紐の導出部を引っ張った後にゴム紐の引っ張り力を解除することでゴム紐の先端側が前記留め具により固定されるので、裾口を離すことでズボン全体が均一に縮み、また、前記縮みを戻すにはゴム紐を前記切り欠けを介して円筒部より取り外すことでゴム紐はフリーな状態となって、裾口を引っ張ることでズボンが縮む前の状態に戻ることを特徴とする。
【００１１】
請求項４の手段は、前記した請求項１または３において、前記トンネルを形成する縫い代は、袖またはズボンを形成する第１の布地とトンネルを形成するトンネル布地の折り返した部分を縫着し、次いで、袖またはズボンを形成する第２の布地を折り返した部分と前記縫着した部分とを縫着し、さらに、前記縫着部分の裏面側に熱圧着により目止めテープを接着したものである。
【００１３】
請求項５の手段は、前記した請求項１または３において、前記留め具は、一端が肩口あるいはウエスト部で縫着される基部と、該基部から延長されると共に前記ゴム紐の引っ張られていない状態時の滑りが発生しない内径に形成された円形状部とからなり、該円形状部には２つの円筒部に分離するための分離溝が形成され、かつ、分離された円筒部には異なる方向にゴム紐を該円筒部に挿通するための切り欠け部が形成されていることを特徴とする。
【発明の効果】
【００１４】
本発明は前記したように、袖口あるいは裾口を持ってゴム紐を引っ張る簡単な操作で袖やズボンの長さを短くできると共に縮み形も平均して行われるので、着用した状態での体裁が良くなるものである。
【００１５】
また、引き出したゴム紐はフード内あるいはフードと襟の間に収容することができるので、ゴム紐が衣服の外側に垂れ下がることがなく、従って、ゴム紐が邪魔になったりすることがないと共に体裁も良くなるものである。
【００１６】
さらに、トンネル部は、袖またはズボンを形成する第１の布地とトンネルを形成するトンネル布地の折り返した部分を縫着し、次いで、袖またはズボンを形成する第２の布地を折り返した部分と前記縫着した部分とを縫着し、さらに、前記縫着部分の裏面側に熱圧着により目止めテープを接着した構造であることから、トンネル部の布厚が薄くなりゴム紐を引っ張って縮ませても均一に縮むこととなり体裁が良く、かつ、防水性の目止めが決着されていることから、縫着部分からの雨水が衣服の内部に入り込むのを防止できるものである。
【００１７】
また、ゴム紐が挿通される留め具は、該ゴム紐が引っ張られない時の径では滑りが発生せず、引っ張られて径が小さくなると滑りが発生して通過可能となる構造としたので、従来のような紐の導出部を結んだりする手間が必要でなく、従って、低年齢層の子供でも袖やズボンの長さを調整することが容易に行える等の効果を有するものである。
【発明を実施するための最良の形態】
【００１８】
本発明は、袖の上縁縫い代にトンネル部を形成し、該トンネル部にゴム紐を挿通すると共に一端を袖口に固定し、かつ、他端を肩口から導出し、該導出したゴム紐を前記肩口に固定された留め具に挿通したものである。
【実施例１】
【００１９】
以下、本発明に係る衣服である防水性上着の一実施例を図１〜図６と共に説明する。
上着Ａの前身頃１には内側にファスナー１ａが取付けられ、外側にはホック１ｂが取付けられている。また、袖２の先端には面ファスナー２ａが取付けられ袖口の大きさを着用する子供の手首の大きさに合わせることが可能となっている。さらに、詰襟状の襟３の外側にはフード４が取付けられ、該フード４は丸めて襟３の後ろ側に固定できるようになっている。以上の構成は公知のものである。
【００２０】
本発明の衣服は前記した公知の上着に以下に説明する新規な構成を追加したものである。５は前記袖２の外側（肩から袖口に向かう線上）に形成されたトンネル部であり、図４に示すような縫着方法によって縫製されている。すなわち、袖２を構成する第１の布地１ｃに、トンネル部５を形成するための布地５ａを筒状に折り返した状態で、この折り返し重ねた部分を第１回目の縫着ａを行い、次いで、袖２を構成する第２の布地１ｄを折り返した状態で、この折り返し重ねた部分を前記第１回目で縫着ａした部分に重ねて第２回目の縫着ｂを行う。そして、前記縫い合わせた裏面側に熱圧着により布地に接着固定される防水性の目止めテープ６で覆って形成したものである。
【００２１】
なお、前記したトンネル部５は袖２の袖口から襟３の近くまで形成する。また、トンネル部５を縫着する前に、布地５ａを筒状にした段階でゴム紐７を筒状の中に挿通しておく方が、トンネル部５を縫着した後にゴム紐７を挿通するよりも手間が省け、さらに、ゴム紐７の先端をトンネル部５を縫着する時に袖口に縫い付けると共に、ゴム紐７の他端を襟３の近くから外部に導出する必要がある。７ｂは導出されているゴム紐７の先端に取付けられた抜け止め具にして、ゴム紐７の導出部分がトンネル部５に入り込むのを防止するものである。
【００２２】
８は図５、図６に示す襟３の近くにおける前記ゴム紐７が導出された肩部分に縫着された合成樹脂性の留め具にして、該留め具８は肩部分に縫着された留め布９に縫着されている。前記留め具８は、留め布９に縫い付けられる基部８ａと、該基部８ａから延長されると共に前記ゴム紐７が引っ張られていない状態時の外径より小さな内径に形成された円形状部８ｂとからなり、該円形状部８ｂには２つの円筒部８ｂ１，８ｂ２に分離するための分離溝８ｂ３が形成され、かつ、各円筒部８ｂ１，８ｂ２には１８０度異なる方向からゴム紐７を円筒部８ｂ１，８ｂ２内に挿通するための切り欠け部８ｂ１１，８ｂ２２が形成されている。
【００２３】
このように構成した本発明の上着Ａにあっては、ゴム紐７を留め具８の円筒部８ｂ１，８ｂ２内に挿通した状態において図２に示すように、抜け止め具７ａと袖口を手に持ってゴム紐７を引っ張ると、該ゴム紐７は延びるので図６（ａ）の仮想線に示すように直径が細くなって滑りが発生して円筒部８ｂ１，８ｂ２内を移動可能となる。そして、ゴム紐７を所望量引っ張り出した後、抜け止め具７ａの引っ張り力を緩めると、ゴム紐７の直径は同図の実線のように直径が太くなるので滑りが無くなり、ゴム紐７は引き出した長さ位置で固定される。
【００２４】
この状態において、袖口を持っていた力を緩めるとゴム紐７は縮まるので袖口側が肩口側に縮みながら移動して袖長さは短くなる。この縮む状態において、トンネル部５の縫着状態が布地の重なりが少なく、かつ、目止めテープ６が一枚であるためトンネル部５の布地全体の硬度が柔らかいため、袖２の全体が平均して縮むこととなる。従って、体裁が良いと共に着心地もよいものとなる。
【００２５】
そして、ゴム紐７を引っ張ったことにより留め具８から導出されるゴム紐８は長くなるので、体裁も悪くなり、かつ、邪魔となるが、この長く導出されたゴム紐７は、フード４を使用しない時にはフード４内に収容して襟に固定し、フードを使用する時にはフードと襟との間に収容することで体裁も良くなり、かつ、邪魔になることがなくなる。
【００２６】
次に、袖Ａの長さを元に戻すには、留め具８からゴム紐７を外すことで縮められているゴム紐７が元に戻るので、袖口を引っ張ることで元の長さに戻すことができる。ここで、ゴム紐７を留め具８から外すには、ゴム紐７の一方、例えば、切り欠け部８ｂ１１から引き出して円筒部８ｂ１から抜き出し、次いで、抜き出した部分を分離溝８ｂ３を通過させ、さらに、他の切り欠け部８ｂ２２から引き出し抜き出すことで、ゴム紐７を留め具８から外すことができる。
【実施例２】
【００２７】
前記した実施例は衣服の上着Ａについての説明であるが、図７に示すようにズボンＢに応用することが可能である。
すなわち、ズボンＢの外側縫い代にトンネル部５を形成し、該トンネル部５にゴム紐７を挿通すると共に一端を裾口に固定し、かつ、他端をウエスト部から導出すると共に、ウエスト部に留め具８を縫着することで、第１実施例と同様に、抜け止め具７ａと裾口を持ってゴム紐７を引っ張ることで、前記上着Ａの場合と同じ作用効果が得られるのである。
【産業上の利用可能性】
【００２８】
前記した何れの実施例も雪や雨時に使用する衣服の場合について説明したが、防水加工を施していない布地を使用して雪や雨とは関係のない通常の衣服として採用し、成長が著しい子供用衣服としても応用することが可能である。
【図面の簡単な説明】
【００２９】
【図１】本発明に係る衣服の上着の正面図である。
【図２】袖を縮める動作を示す正面図である。
【図３】同上により袖を縮めた状態の正面図である。
【図４】トンネル部を形成するための縫製状態を示す説明図である。
【図５】留め具の斜視図である。
【図６】（ａ）は留め具の正面図、（ｂ）は留め具の側面図である。
【図７】本発明を衣服のズボンに応用した場合の正面図である。
【符号の説明】
【００３０】
Ａ          上着
Ｂ          ズボン
２          袖
５          トンネル部
６          目止めテープ
７          ゴム紐
８          留め具
８ａ        基部
８ｂ        円形状部
８ｂ１      円筒部
８ｂ２      円筒部
８ｂ３      分離溝
８ｂ１１    切り欠け部
８ｂ２２    切り欠け部
【図１】
0004607491.tif 000002
【図２】
0004607491.tif 000003
【図３】
0004607491.tif 000004
【図４】
0004607491.tif 000005
【図５】
0004607491.tif 000006
【図６】
0004607491.tif 000007
【図７】
0004607491.tif 000008